(57)【要約】      （修正有）【課題】缶の巻締部切断作業を迅速に且つ高精度に行いうる巻締部切断装置を提供する。【解決手段】缶胴と缶蓋との巻締部を切断して巻締部検査用の切断面を形成する切断装置を、缶１を保持する保持穴２１を有する保持部材と、保持部材をそれによって保持される缶の軸方向に移動自在にガイドするガイド部材と、切断刃５と、ガイド部材によってガイドされた保持部材が切断刃５による切断作業位置に向かって移動する際に復元力を発生するバネ４とを備え、保持部材は、保持穴２１に缶１が挿入された状態で缶の端面の一部に当接する当接部２２を有し、缶１が切断作業位置に向けて操作される際に缶の端面が当接部２２に当接して缶１と共に移動し、操作が解除されるとバネ４の復元力によって切断作業位置から遠ざかる方向に移動するように設ける。【選択図】図１
2008036764.tif 000002
【特許請求の範囲】
【請求項１】
缶胴と缶蓋との巻締部を切断して巻締部検査用の切断面を形成する切断装置であって、
缶を保持する保持穴を有する保持部材と、
前記保持部材をそれによって保持される缶の軸方向に移動自在にガイドするガイド部材と、
切断刃と、
前記ガイド部材によってガイドされた前記保持部材が前記切断刃による切断作業位置に向かって移動する際に復元力を発生する復元部材とを備え、
前記保持部材は、前記保持穴に缶が挿入された状態で缶蓋の一部に当接する当接部を有し、缶が前記切断作業位置に向けて操作される際に缶蓋が前記当接部に当接して缶と共に移動し、前記操作が解除されると前記復元部材の復元力によって前記切断作業位置から遠ざかる方向に移動する、
ことを特徴とする切断装置。
【請求項２】
前記保持部材は鍔を有し、前記ガイド部材は前記鍔に対面する鍔を有し、
前記復元部材は、バネであって、前記保持部材の鍔と前記ガイド部材の鍔との間に配置されていることを特徴とする請求項１に記載の切断装置。
【請求項３】
前記切断刃は、一対の回転刃であることを特徴とする請求項１又は請求項２に記載の切断装置。
【請求項４】
前記切断刃は、前記保持部材の中心を通る鉛直線の周りに互いに１２０度の角度をおいて３組備えられることを特徴とする請求項１乃至請求項３のいずれか１項に記載の切断装置。
【発明の詳細な説明】
【技術分野】
【０００１】
本発明は、缶の巻締部の検査に用いられる巻締部切断装置に関する。
【背景技術】
【０００２】
食品缶、飲料缶等は、有底円筒状の缶胴に内容物を充填し、その後缶胴と缶蓋とを巻き締めて製造される。この巻締が完全に行われていないと、缶内の内容物がもれたり、もれないまでも外気に触れて変質したりする。そこで、必要に応じて巻締部が検査されうる。この検査は、巻締部を切断して切断面を観察することによってなされうる。図６は巻締の検査のために巻締部が切断された缶１を示している。同図に示されるように缶胴１１と缶蓋１２との結合部である巻締部１３を含む部分が通常３箇所で切断される。
【０００３】
従来、缶の巻締部の切断は鋏等を用いた手作業により行われてきたが、切断作業を迅速に行うために回転刃を有する切断装置を使用することも行われてきた。図７は従来の巻締部切断装置を示すものである。５は一対の回転刃からなる切断刃であって、通常３組の切断刃が使用される。８は缶１を切断刃５に対して上下方向にガイドする筒状のガイド部材で、切断刃５を備える箱体の天板に設けた穴に嵌挿固定される。作業者が缶の巻締部を下にして缶蓋とは逆の端部を把持しつつ、ガイド部材８の筒内面に沿って缶１を下げていくと、缶１は３組の切断刃５によって巻締部１３が３箇所で切断される。それぞれの切断箇所に形成される一対の切り込みに挟まれる巻締部を押圧すると、巻締部の切断面が視認できるようになって巻締の状況を検査することが可能となる。
【０００４】
従来の缶の巻締部切断装置では、作業者が缶１の端部を把持しながらガイド部材８に差し込み、そして巻締部切断後にガイド部材８から引き上げるが、缶をふらつかせないように缶を慎重に差し込みまた引き抜くので巻締部切断作業に時間を要した。また、作業者が細心の注意を払っても、特に缶１を切断刃５と接触させるとき、また、缶１を切断刃から引き上げるときに缶１がふらつくことを避けえず、したがって巻締部の切断面にゆがみが発生するという問題があった。
【特許文献１】特開平４−４１０３２号公報
【発明の開示】
【発明が解決しようとする課題】
【０００５】
本発明の目的は、缶の巻締部の切断作業を迅速に且つ高精度に行いうる切断装置を提供することにある。
【課題を解決するための手段】
【０００６】
上記目的を達成するために、本発明は、缶胴と缶蓋との巻締部を切断して巻締部検査用の切断面を形成する切断装置が、缶を保持する保持穴を有する保持部材と、前記保持部材をそれによって保持される缶の軸方向に移動自在にガイドするガイド部材と、切断刃と、前記ガイド部材によってガイドされた前記保持部材が前記切断刃による切断作業位置に向かって移動する際に復元力を発生する復元部材とを備え、前記保持部材は、前記保持穴に缶が挿入された状態で缶蓋の一部に当接する当接部を有し、缶が前記切断作業位置に向けて操作される際に缶蓋が前記当接部に当接して缶と共に移動し、前記操作が解除されると前記復元部材の復元力によって前記切断作業位置から遠ざかる方向に移動する、ことを特徴とする。
【０００７】
本発明の好適な実施形態によれば、前記保持部材は鍔を有し、前記ガイド部材は前記鍔に対面する鍔を有し、前記保持部材の鍔と前記ガイド部材の鍔との間に前記復元部材としてのバネが配置されうる。また、前記切断刃として、前記缶保持部材の中心を通る鉛直線の周りに互いに１２０度の角度をおいて三対の回転刃が使用されうる。
【発明の効果】
【０００８】
本発明によれば、缶の巻締部切断作業を迅速に且つ高精度に行いうる切断装置を提供することができる。
【発明を実施するための最良の形態】
【０００９】
以下に本発明を図示の実施形態に基づいて説明する。図１は、実施形態における缶の巻締部切断装置の正面断面図であり、缶を切断する前の状態を示している。巻締部切断装置の箱体７の中には３つのモータ６が互いに１２０度の角度をおいて設置される。各モータ６はそれぞれ互いに近接した平行な姿勢の一対の回転刃５，５を備える。実施形態では、モータ６は箱体の天板及び底板に取り付けられる支持部材７２によって支持されるが、箱体７の他の部分に取り付けられてもよい。また、実施形態では、一対の回転刃５，５をそれぞれ回転駆動するモータ６を３つ設けるが、１つのモータ６によって駆動伝達手段を介して３組の各一対の回転刃５，５を同時に回転駆動する構成を採用してもよい。
【００１０】
缶を保持する保持部材２は、図４、５に示されるように、缶１を保持する保持穴２１を有する筒部２５と、筒部２５の適所、例えば上部の周囲に設けられた鍔２３と、筒部２５の適所、例えば底部に設けられた当接部２２とを有する。当接部２２は、例えば一対の回転刃５，５による缶の切断を妨害しないように設けられている。このような構成は、有底の筒部２５にて切り欠き２４を３箇所形成した構成としても把握されうる。保持穴２１は缶１の外径とほぼ同径に設定され、当接部２２はその上に缶１を保持し、缶１の軸方向の位置を規制するストッパとして機能する。缶保持部材の鍔２３の下面にはピン２６が複数立設される。３は缶保持部材２をそれによって保持される缶１の軸方向に移動自在にガイドするガイド部材である。ガイド部材３は保持部材２を嵌挿する穴を有する筒状体であって上部に鍔３１を有し、鍔３１には保持部材の鍔２３に立設されるピン２６を挿通する孔３２が設けられる。保持部材の鍔２３とガイド部材の鍔３１との間の各ピン２６の周りにはピン２６を包囲するバネ４が取り付けられる。バネ４は、ガイド部材３によってガイドされた保持部材２が回転刃５による切断作業位置に向かって移動する際に復元力を発生させる。
【００１１】
ガイド部材３に設けるピン２６を挿通する孔３２に対応する孔が箱体７の天板７１にも設けられる。箱体の天板７１とガイド部材３とをそれらのピン挿通用孔が一致するように位置決めすると、ガイド部材３の筒状部が箱体の天板７１に設けた穴に嵌合し、ガイド部材３は箱体の天板７１に固定される。その状態で、保持部材の鍔２３に立設した複数のピン２６をその周囲にバネ４を保持したままで、ガイド部材３及び箱体７の天板のピン挿通用の孔に挿入すると、保持部材２の筒状部はガイド部材３の筒状部内に嵌挿され、図１の状態に組み付けられる。
【００１２】
この実施形態では、保持部材２に復元力を発生させる復元部材としてバネ４を使用したが、保持部材の鍔２３とガイド部材の鍔３１との間にゴムのような弾性部材を設ける構成とすることも可能である。さらに、保持部材２の缶１を受容する保持穴２１の内径、長さを変更すればサイズの異なる缶に対応可能となる。
【００１３】
次に、缶の巻締部を切断する作業の手順について説明する。図１に示される保持部材２がバネ４の復元力によってガイド部材３及び箱体７に対して最も上方に位置する状態において、巻締部１３を下にして缶１を保持部材の保持穴２１に差し込むと、缶蓋部１２が保持部材の底の当接部２２に突き当たり、缶１が保持部材の保持穴２１内に保持される。次いで、モータ６を駆動させて３組の回転刃５，５を回転させる。そして缶の最上部となる缶１の底部をバネ２４の上方への復元力に抗して手で強く押すと、缶１は保持部材２とともに箱体７の内部下方へ移動し、回転する回転刃５，５に接触する。引き続き缶１を上方から押し込むと、保持部材２がバネ４に抗して最も下方となるまでの間、缶１は回転刃５，５によってその巻締部が切断され続ける。図２は缶１が回転刃５によって切断されている状態の正面断面図であり、図３は図２の（Ｉ）−（Ｉ）線断面図である。図３に示されるように、保持部材の保持穴２１の下部と当接部２２とに亘って一対の回転刃５，５が進入可能である切り欠き２４が３箇所設けられているので、回転刃５，５は保持部材２と接触することなく缶１の巻締部１３を切断し、一対の切り込みを３組形成する。缶１が切断される間、バネ４等の復元部材の復元力を受けながら缶１は手によって下方への押圧力が加えられるので、従来技術のように缶がふらついて鉛直線周りに回動することはなく、直線的に精度よく切り込まれる。実施形態では缶１及び保持部材２を手で押し込むこととしたが、押し込み部材を別途設けて当該押し込み部材によって缶１及び保持部材２を押し込むようにすることも可能である。
【００１４】
切断が終了すれば、作業者は缶１の押し込みを解除する。そうすると、保持部材２はバネ２４の復元力によって迅速に図１に示される切断作業前の初期状態に復帰する。その後、缶１を保持部材２から抜き出す。そして、一対の切り込みに挟まれる巻締部１３を押し込むと、巻締部１３の切断面が視認可能となって缶の巻締状態を検査することができる。
【図面の簡単な説明】
【００１５】
【図１】本発明の一実施形態における缶の切断前の状態を示す正面断面図である。
【図２】本発明の一実子形態における缶の切断中の状態を示す正面断面図である。
【図３】図２の（Ｉ）−（Ｉ）線断面図である。
【図４】保持部材及びガイド部材の斜視図である。
【図５】保持部材を下から見た図である。
【図６】巻締部を切断した後の缶を示す図である。
【図７】従来の缶の巻締部切断装置を示す正面断面図である。
【符号の説明】
【００１６】
１            缶
１１          缶胴
１２          缶蓋
１３          巻締部
２            保持部材
２１          保持穴
２２          当接部
２３          鍔
２４          切り欠き
２５          筒部
２６          ピン
３            ガイド部材
３１          鍔
３２          孔
４            バネ
５            回転刃（切断刃）
６            モータ
７            箱体
７１          天板
７２          支持部材
８            ガイド部材（従来）
【図１】
2008036764.tif 000003
【図２】
2008036764.tif 000004
【図３】
2008036764.tif 000005
【図４】
2008036764.tif 000006
【図５】
2008036764.tif 000007
【図６】
2008036764.tif 000008
【図７】
2008036764.tif 000009